(57)【要約】【課題】緊急地震速報に対応する特別な機能や構成を備えていない電気機器をユーザが個別に簡単な対応を行うだけで緊急地震速報に対応できるようにする。【解決手段】給湯装置４のリモコン５ａに緊急地震速報を受信する速報受信部５１を設けるとともに、台所リモコン５ａと通信接続された測定ユニット６に緊急地震速報の受信を条件に所定の制御信号を出力する速報中継部６２と、速報中継部６２から出力される制御信号を外部に送信する信号送信部６５を備えさせる。そして、屋内の電源コンセント１に、電源プラグ差込口３１と、制御信号を受信する信号受信部３２と、信号受信部３２が受信した制御信号に応じて電源プラグ差込口３１に対する電源の供給／遮断を切り替える電源遮断部３３を備えた電源コンセント装置３を取り付け、緊急地震速報に応じて電源プラグ差込口３１への電源供給を遮断する。【選択図】図１
2013156193.tif 000002
【特許請求の範囲】
【請求項１】
住宅設備機器または家電機器の操作装置を用いた緊急時電源遮断システムであって、
緊急地震速報を受信する速報受信部と、前記速報受信部が緊急地震速報を受信したことを条件に所定の制御信号を出力する速報中継部と、前記速報中継部から出力される前記制御信号を外部に送信する信号送信部とを備えた前記操作装置と、
１または複数の電源プラグ差込口と、前記制御信号を受信する信号受信部と、前記信号受信部が受信した制御信号に応じて前記電源プラグ差込口に対する電源の供給／遮断を切替可能な電源遮断部とを備えた電源コンセント装置を有してなる
ことを特徴とする緊急時電源遮断システム。
【請求項２】
前記速報中継部と前記信号送信部とが前記操作装置との通信手段を備えた独立した筐体に収容されていることを特徴とする請求項１に記載の緊急時電源遮断システム。
【請求項３】
前記電源コンセント装置は独立した筐体に収容されるとともに、前記電源プラグ差込口と電気的に接続された電源プラグを備えており、この電源プラグが屋内に配設された電源コンセントの電源プラグ差込口に接続されることによって構成されていることを特徴とする請求項１または２に記載の緊急時電源遮断システム。
【請求項４】
前記電源コンセント装置が複数備えられ、
前記操作装置は、前記制御信号による制御対象を前記電源プラグ差込口単位または前記電源コンセント装置単位で設定できるように構成されていることを特徴とする請求項１から３のいずれかに記載の緊急時電源遮断システム。
【発明の詳細な説明】
【技術分野】
【０００１】
この発明は緊急時電源遮断システムに関し、より詳細には、緊急地震速報を住宅設備機または家電機器の操作装置で受信して、電源コンセントでの電源遮断に利用する緊急時電源遮断システムに関する。
【背景技術】
【０００２】
近時、地震の主要動が到達する前にそれを予報することを目的として、気象庁などが中心となって緊急地震速報を発信するようになっている。この緊急地震速報は、地震の発生直後に、震源に近い地震計でとらえた観測データを解析して震源や地震の規模を直ちに推定し、これに基づいて各地での主要動の到達時刻や震度を予測し、可能な限り素早く知らせる地震動の予報及び警報であり、今日では、この緊急地震速報は気象庁から情報提供を受ける民間業者等を通じても発信されるようになっており、その受信設備（受信機）を備えることで一般家庭でも緊急地震速報を受信できるようになっている。
【０００３】
そのため、最近ではこのような緊急地震速報を利用して、地震の主要動が到達する前に、住宅内にある機器に所定の安全動作を行わせることが提案されている（たとえば、特許文献１参照）。
【０００４】
すなわち、特許文献１に示すものは、緊急地震速報の受信設備と住宅のドアホンとを通信線で接続するとともに、ドアホンと住宅内の機器（たとえば、ガスコンロ）を通信線で接続し、緊急地震速報が発信された場合、それを受信設備からドアホン、ドアホンから住宅内の機器に送信するようにして、ドアホンから緊急地震速報の通報を受けた住宅内の機器が当該機器に固有の安全動作を実行するように構成している。
【先行技術文献】
【特許文献】
【０００５】
【特許文献１】特開２００９−１５０７１０号公報（図１、段落［００２８］参照）
【発明の概要】
【発明が解決しようとする課題】
【０００６】
しかしながら、この特許文献１に示す方法には以下のような問題があり、その改善が望まれていた。
【０００７】
すなわち、特許文献１に示す方法は、ドアホンから緊急地震速報の通報を受けた住宅内の機器が当該機器に固有の安全動作を行うようになっているが、このような構成の前提として、当該機器が緊急地震速報に対応した固有の安全動作を行うという特殊な機能（制御構成）を備えている必要がある。つまり、特許文献１に記載の方法は、あくまでそのような特殊な機能に対応した機器だけが対象となり、ドアホンと通信接続できない機器（通信機能を有しない機器）や、独自の安全動作を行う制御構成を有していない機器などは対応することができなかった。
【０００８】
殊に、小型の暖房器具（たとえば、電気ヒータなど）などは、装置の構成上、そのような特殊な機能や構成を備えていないことが多く、特許文献１に示すシステムに対応するのが事実上困難であった。
【０００９】
本発明は、このような問題点に鑑みてなされたものであって、その目的とするところは、緊急地震速報に対応する特別な機能や構成を備えていない電気機器をユーザが個別に簡単な対応を行うだけで緊急地震速報に対応できるようにする緊急時電源遮断システムを提供することにある。
【課題を解決するための手段】
【００１０】
上記目的を達成するため、本発明の請求項１に係る緊急時電源遮断システムは、住宅設備機器または家電機器の操作装置を用いた緊急時電源遮断システムであって、緊急地震速報を受信する速報受信部と、上記速報受信部が緊急地震速報を受信したことを条件に所定の制御信号を出力する速報中継部と、上記速報中継部から出力される上記制御信号を外部に送信する信号送信部とを備えた上記操作装置と、１または複数の電源プラグ差込口と、上記制御信号を受信する信号受信部と、上記信号受信部が受信した制御信号に応じて上記電源プラグ差込口に対する電源の供給／遮断を切替可能な電源遮断部とを備えた電源コンセント装置を有してなることを特徴とする。
【００１１】
すなわち、この請求項１に係る緊急時電源遮断システムでは、緊急地震速報は住宅設備機器（たとえば、給湯装置）等の操作装置に備えられた速報受信部で受信される。そして、速報受信部が緊急地震速報を受信すると、それを条件として操作装置に備えられた速報中継部から電源コンセント装置の電源遮断部に対する制御信号が出力される。この制御信号は、操作装置の信号送信部から送信され、電源コンセント装置の信号受信部で受信されて電源遮断部に伝達される。
【００１２】
信号中継部から出力する制御信号は、電源プラグ差込口への電源遮断または電源供給を指示する制御信号であり、いずれの制御信号を出力するかはあらかじめ操作装置において設定するようになっている。すなわち、電源コンセント装置の電源プラグ差込口に地震の主要動が到来する前に動作を停止させたい機器（たとえば、電気ストーブなど）を接続する場合には、この制御信号として電源遮断を指示する制御信号が出力されるように設定しておく。反対に、地震の主要動が到来する前に動作させたい機器（たとえば、警報音の発生機など）を接続する場合には、制御信号として電源供給を指示する制御信号が出力されるように設定しておく。
【００１３】
これにより、請求項１に係る緊急時電源遮断システムでは、住宅設備機器等の操作装置が緊急地震速報を受信すると、それに伴って電源プラグ装置の電源プラグ差込口に接続された機器に対して自動的に電源遮断または電源供給が行われるようになる。したがって、ユーザは、地震の主要動が到来する前に動作を停止させたい電気機器がある場合、当該電気機器を緊急地震速報受信に伴って電源遮断される電源プラグ差込口に接続しておくだけで、緊急地震速報の受信に伴って当該電気機器に対する電源供給が遮断され、当該電気機器は自動的に停止される。また、反対に地震の主要動が到来する前に動作を開始させたい電気機器がある場合には、当該電気機器を緊急地震速報受信に伴って電源が供給される電源プラグ差込口に接続しておくことで、緊急地震速報の受信に伴って当該電気機器に対し電源が供給され、当該電気機器は自動的に動作を開始するようになる。
【００１４】
そして、本発明の請求項２に係る緊急時電源遮断システムは、請求項１に記載の緊急時電源遮断システムにおいて、上記速報中継部と上記信号送信部とが上記操作装置との通信手段を備えた独立した筐体に収容されていることを特徴とする。
【００１５】
すなわち、この請求項２に係る緊急時電源遮断システムでは、速報中継部と信号送信部とが操作装置との通信手段を備えた独立した筐体に収容されるので、速報中継部および信号送信部を、操作装置との間でデータの送受信などを行う装置（たとえば、操作装置において住宅内の消費電力を表示させるために設けられる測定ユニットなど）に収容することができる。
【００１６】
また、本発明の請求項３に記載の緊急時電源遮断システムは、請求項１または２に記載の緊急時電源遮断システムにおいて、上記電源コンセント装置は独立した筐体に収容されるとともに、上記電源プラグ差込口と電気的に接続された電源プラグを備えており、この電源プラグが屋内に配設された電源コンセントの電源プラグ差込口に接続されることによって構成されていることを特徴とする。
【００１７】
すなわち、この請求項３に係る緊急時電源遮断システムでは、電源コンセント装置に備えられた電源プラグを屋内に配設された電源コンセントの電源プラグ差込口に接続するだけで、特別な工事などを必要とすることなく、屋内に配設された電源コンセントを緊急地震速報に対応して電源の供給／遮断が可能なコンセントとして用いることができる。
【００１８】
また、本発明の請求項４に記載の緊急時電源遮断システムは、請求項１から３のいずれかに記載の緊急時電源遮断システムにおいて、上記電源コンセント装置が複数備えられ、上記操作装置は、上記制御信号による制御対象を上記電源プラグ差込口単位または上記電源コンセント装置単位で指定できるように構成されていることを特徴とする。
【００１９】
すなわち、この発明によれば、緊急地震速報に対応したコンセントが複数設けられるので、ユーザは多くの電気機器を緊急地震速報に対応する機器として利用することができる。また、制御信号による制御対象を指定可能とすることで、緊急地震速報に応じた電源コンセント装置側の対応（電源供給／電源遮断）を詳細に設定でき、電源プラグ差込口の使い分けの自由度が広がり、ユーザの利便性の向上を図ることができる。
【発明の効果】
【００２０】
本発明によれば、操作装置が緊急地震速報を受信すると、それに伴って電源コンセント装置の電源プラグ差込口が電源供給の遮断または電源供給の開始を自動的に行うので、ユーザは電気機器を接続する電源プラグ差込口を選択するだけで、緊急地震速報に対応していない電気機器を緊急地震速報に応じて停止させたり、動作させたりすることがことができるようになる。
【００２１】
そして、地震により火災を引き起こすおそれがある電気機器を緊急地震速報の受信により電源供給を遮断させる電源プラグ差込口に接続しておくことで、地震の主要動が到来する前に当該電気機器を電源遮断により強制的に停止させることができ、防災上の安全を図ることができる。
【図面の簡単な説明】
【００２２】
【図１】本発明に係る緊急時電源遮断システムの概略構成の一例を示すシステム構成図である。
【発明を実施するための形態】
【００２３】
以下、本発明の実施形態を図面に基づいて詳細に説明する。
図１は、給湯装置１のリモコン（操作装置）２を利用した緊急時電源遮断システムの概略構成を示している。
【００２４】
この図１に示す緊急時電源遮断システムは、国（気象庁）または民間業者等により発信される地震の主要動の到達予報である緊急地震速報に基づいて、屋内に配設された電源コンセント１に接続される電気機器Ａに対する電源供給を遮断（または電源遮断状態から電源供給を開始）するように構成したものであって、緊急地震速報を受信する給湯システム２と、電気機器Ａに対する電源供給の遮断（または供給）を行う電源コンセント装置３を備えている。
【００２５】
図１に示す給湯システム２は、給湯装置４と、その操作装置であるリモコン５と、リモコン５に表示用のデータを供給する測定ユニット６とを備えている。
【００２６】
給湯装置４は、図示しない入水管に供給される水を熱交換器で加熱・昇温させて、リモコン５で設定される給湯設定温度の温水を図示しない出湯管から出湯するように構成された公知の給湯装置であって、この給湯装置５には、リモコン５として、台所に設置される台所リモコン５ａと、浴室に設置される風呂リモコン５ｂとが備えられている。
【００２７】
台所リモコン５ａおよび風呂リモコン５ｂは、いずれも給湯装置４を遠隔操作するための操作装置であって、図示しない操作部や表示部を備えており、給湯装置４に対する遠隔操作やリモコン５の各種設定操作のほか、本実施形態では、後述する速報中継部に対する設定操作も行えるように構成されている（詳細は後述する）。
【００２８】
各リモコン５ａ，５ｂは、それぞれ２芯通信線７を介して給湯装置４と接続されており、給湯装置４と各リモコン５ａ，５ｂは双方向で通信できるようになっている。また、各リモコン５ａ，５ｂは測定ユニット６とも２芯通信線７を介して接続されており、測定ユニット６とも双方向で通信できるようになっている。
【００２９】
そして本実施形態では、このように構成されるリモコン５ａ，５ｂのうち、台所リモコン５ａが緊急地震速報を受信するようになっており、そのため台所リモコン５ａには緊急地震速報を受信するための速報受信部５１が備えられている。
【００３０】
すなわち、本実施形態では、ドアホン９が緊急地震速報の受信設備（図示せず）と接続されており、この受信設備で受信された緊急地震速報がドアホン９を介して台所リモコン５ａに与えられるようになっている。より正確には、緊急地震速報を受信した旨の検知信号がドアホン９から台所リモコン５ａに与えられるようになっている。そのため、この速報受信部５１は、ドアホン９との通信回路で構成されている。たとえば、ドアホン９と台所リモコン５ａがＨＡ（Home Automation）接続される場合、この通信回路にはＨＡ対応の通信回路が用いられる。なお、図において５２は台所リモコン５ａの制御中枢を構成するマイコン、５３は給湯装置４、風呂リモコン５ｂおよび測定ユニット６との通信用の２芯通信回路を示している。
【００３１】
測定ユニット６は、上述したように、リモコン５に表示用のデータ（具体的には、リモコン５の表示部に屋内の電力使用量を表示させるためのデータ）を提供するユニットであって、電流検出回路６１と、測定ユニット６の制御中枢を構成するマイコン６２と、リモコン５ａ，５ｂとの通信用の２芯通信回路６３を備えている。電流検出回路６１は分電盤８に図示しないカレントトランスを備えており、このカレントトランスを用いて図示しない商用交流電源から分電盤８に供給される電流を監視するように構成されている。
【００３２】
また、この測定ユニット６は、給湯装置４との通信機能を利用して給湯装置４の動作状態をマイコン６２が監視し各種データを保存するデータロガーとしても機能するように構成されており、保存したデータの取り出し用に記憶媒体の接続スロット６４を備えている。
【００３３】
そして、本実施形態では、この測定ユニット６が台所リモコン５ａで受信された緊急地震速報を電源コンセント装置３に中継する中継装置として機能するように構成されており、そのためにこの測定ユニット６には電源コンセント装置３との通信手段として無線通信回路６５が備えられている。この無線通信回路６５は、後述する電源コンセント装置３の信号受信部に対して制御信号を送信する信号送信部を構成しており、家電向けの短距離無線通信規格などに準拠した無線通信装置で構成されている。また、測定ユニット６が緊急地震速報の中継装置として機能することに伴って、測定ユニット６に備えられたマイコン６２は後述する信号中継部として機能するようにプログラムされている。
【００３４】
なお、本実施形態では、この測定ユニット６は上記台所リモコン５ａとは独立した筐体に収容されている。つまり、本実施形態では、緊急地震速報の中継装置を構成する速報中継部と信号送信部とが緊急地震速報を受信する台所リモコン５ａと別体に構成した場合を示しているが、これらは台所リモコン５ａに収容されるように構成してもよい。すなわち、台所リモコン５ａのマイコン５２を信号中継部として機能するようにプログラムするとともに、無線通信回路６５を台所リモコン５ａに備えるように構成することも可能である。
【００３５】
電源コンセント装置３は、１または複数（図示例では３１ａと３１ｂの２個）の電源プラグ差込口３１と、上記無線通信回路６５から送信される制御信号を受信する無線通信回路３２と、無線通信回路３２が受信した制御信号に応じて電源プラグ差込口３１に対する電源の供給／遮断を切替可能な電源遮断部３３と、電源コンセント装置３の制御中枢を構成するマイコン３４を主要部として備えている。
【００３６】
電源プラグ差込口３１は、住宅設備機器（たとえば、空調装置、照明器具など）および家電機器（たとえば、テレビ、冷蔵庫、ファンヒータなど）などの電気機器Ａの電源プラグＢを接続する差込口を構成するもので、この電源プラグ差込口３１には分電盤８から供給される交流電力（たとえば、ＡＣ１００ＶまたはＡＣ２００Ｖ）が供給されるように構成されている。
【００３７】
本実施形態では、電源コンセント装置３は、分電盤８から電力供給を受ける屋内の電源コンセント１とは別体の独立した筐体に収容された構造を備えているので、この電源プラグ差込口３１には同差込口３１と電気的に接続された電源プラグ３５が備えられており、この電源プラグ３５を電源コンセント１の電源プラグ差込口１１に接続している。
【００３８】
無線通信回路３２は、電源コンセント装置３において、緊急地震速報に応じて測定ユニット６の無線通信回路６５から送信される制御信号を受信する信号受信部を構成するものであって、上記無線通信回路６５と同じ家電向けの短距離無線通信規格などに準拠した無線通信装置で構成されている。そして、この無線通信回路６５で受信された制御信号はマイコン３４に与えられ、マイコン３４がこの制御信号に基づいて電源遮断部３３を制御するように構成されている。
【００３９】
電源遮断部３３は、電源プラグ差込口３１と電源（本実施形態では、電源プラグ３５）との間の電源供給線（図示せず）の電路を開閉する開閉器で構成されている。本実施形態では、電源プラグ差込口３１が２個備えられているので、この電源遮断部３３は各電源プラグ差込口３１ａ，３１ｂごとに電路の開閉（つまり、各電源プラグ差込口３１ａ，３１ｂへの電源の遮断／供給の切り替え）ができるように構成されている。つまり、電源プラグ差込口３１ａ，３１ｂごとに開閉器が備えられている。
【００４０】
そして、この電源遮断部３３は、マイコン３４の設定にしたがって普段（緊急地震速報がないとき）の状態を設定することができる。たとえば、普段は電源供給がされているが後述する緊急地震速報によって電源供給が遮断される電源プラグ差込口として使用できるほか、普段は電源供給がされていないが緊急地震速報によって電源供給が開始される電源プラグ差込口としても使用できるようになっている。
【００４１】
なお、本実施形態では、電源コンセント装置３が電源コンセント１とは別体に構成された場合を示したが、この電源コンセント装置３は電源コンセント１と一体に構成することもできる。すなわち、電源コンセント装置３を電源コンセント１に組み込んで構成することもできる。その場合、電源プラグ差込口３１は電源プラグ３５を介することなく分電盤８と接続され、分電盤８から直接電源供給を受けるように構成される。そして、この分電盤８と電源プラグ差込口３１との間に電源遮断部３３が介装される。
【００４２】
次に、このように構成された緊急時電源遮断システムの動作について説明する。
この緊急時電源遮断システムでは、国または民間業者から緊急地震速報が発信されると、当該緊急地震速報は図示しない受信設備、ドアホン９を介して台所リモコン５ａの速報受信部５１で受信される。
【００４３】
速報受信部５１が緊急地震速報を受信すると、台所リモコン５ａのマイコン５２は２芯通信回路５３を介して緊急地震速報を測定ユニット６に送信する。このようにして送信された緊急地震速報は測定ユニット９の２芯通信回路６３で受信され、測定ユニット９のマイコン６２に伝達される。
【００４４】
測定ユニット６のマイコン６２は、台所リモコン５ａからの緊急地震速報を受信すると、この受信を条件にあらかじめ台所リモコン５ａで設定された仕様に従って電源コンセント装置３に対する制御信号を生成し、無線通信回路６５を介して電源コンセント装置３に制御信号を送信する。
【００４５】
このようにして送信された制御信号は、電源コンセント装置３の無線通信回路３２で受信され、電源コンセント装置３のマイコン３４がこの制御信号の内容に応じて電源遮断部３３を制御し、電源プラグ差込口３１への電源供給または電源供給の遮断を行う。
【００４６】
ここで、台所リモコン５ａで設定される仕様には、（１）緊急地震速報受信時の制御の有無、（２）制御対象となる電源コンセント装置、（３）制御対象となる電源プラグ差込口、（４）電源遮断部の動作、などがあり、これら設定された仕様に従って制御信号の生成が行われる。
【００４７】
すなわち、たとえば、台所リモコン５ａにおいて、緊急地震速報受信時の制御を行わない旨の設定が行われている場合、測定ユニット６のマイコン６２は台所リモコン５ａから緊急地震速報を受信しても電源コンセント装置３に対する制御信号を生成しない。そのため、この設定が行われている場合、緊急地震速報があっても電源コンセント装置３の電源遮断部３３は普段の設定を維持し、電源プラグ差込口３１に対して普段通りの電源供給または電源遮断が行われる。
【００４８】
また、制御対象となる電源コンセント装置が設定されている場合、マイコン６２で生成される制御信号は特定の電源コンセント装置３を制御対象として生成・送信される。すなわち、電源コンセント装置３が複数備えられている場合、制御対象となる電源コンセント装置３を特定する設定をしておくことで特定の電源コンセント装置３を選択して制御することができるようになる。たとえば、電源コンセント装置３が２台ある場合、一方は緊急地震速報の受信によって電源プラグ差込口３１への電源供給を遮断するが、他方は緊急地震速報を受信しても普段通り電源供給を続けさせるといった制御を実行することができる。
【００４９】
そのため、たとえば、緊急地震速報の受信によって電源供給が遮断される側の電源コンセント装置３の電源プラグ差込口３１には地震の主要動が到来する前に動作を停止させたい電気機器Ａ（たとえば、電気ストーブなど）を接続しておくことで、主要動が到来する前に当該電気機器Ａを停止させることができ、地震による火災発生の危険などを抑制することができる。一方、緊急地震速報を受信しても普段通り電源供給を続ける側の電源コンセント装置３の電源プラグ差込口３１には地震の主要動が到来しても動作を継続させたい電気機器Ａ（たとえば、冷蔵庫やパソコンなど）を接続しておくことで、地震の主要動が到来してもこれらの電気機器Ａは停電することなく動作を継続でき、冷蔵庫内のものが腐ったりパソコンのデータが失われることが回避できるようになる。
【００５０】
また、制御対象となる電源プラグ差込口３１が設定されている場合、制御信号は特定の電源コンセント装置３のうちの特定の電源プラグ差込口３１を制御対象として生成・送信される。そのため、たとえば、緊急地震速報の受信によって特定の電源コンセント装置３に備えられた電源プラグ差込口３１ａへの電源供給は遮断するが、同じ電源コンセント装置３にある他方の電源プラグ差込口３１ｂは緊急地震速報を受信しても普段通り電源供給を続けさせることができる。なお、この場合も、緊急地震速報の受信によって電源供給が遮断される電源プラグ差込口３１に地震の主要動が到来する前に動作を停止させたい電気機器Ａを接続しておくことで、主要動が到来する前にこれらを停止させることができる。一方、緊急地震速報を受信しても普段通り電源供給を続ける側の電源プラグ差込口３１に地震の主要動が到来しても動作を継続させたい電気機器Ａを接続しておくことで、地震の主要動が到来してもこれらの電気機器Ａは停電することなく動作を継続させることができる。
【００５１】
さらに、電源遮断部３３の動作内容を設定しておくことにより、生成される制御信号によって、特定の電源コンセント装置３の特定の電源プラグ差込口３１に対して、緊急地震速報の受信により電源供給を遮断させたり、あるいは緊急地震速報の受信により電源供給を開始させたりすることができる。したがって、たとえば、緊急地震速報の受信によって電源供給が遮断される電源プラグ差込口３１には地震の主要動が到来する前に動作を停止させたい電気機器Ａを接続しておくことで、主要動が到来する前にこれらを停止させることができ、地震による火災発生の危険などを抑制することができる一方、緊急地震速報の受信によって電源供給が開始される電源プラグ差込口３１には地震の主要動が到来する前に動作を行わせたい電気機器Ａ（たとえば、警報音の発生装置など）を接続しておくことで、地震の主要動が到来する前に危険を報知することができる。
【００５２】
このように、本発明の緊急時電源遮断システムによれば、台所リモコン５ａが緊急地震速報を受信すると、それに伴って電源コンセント装置３の電源プラグ差込口３１があらかじめ設定された仕様にしたがって電源供給の遮断または電源供給を開始するようになっているので、ユーザは電気機器Ａの性質に応じて電源プラグ差込口３１を選択して、電気機器Ａの電源プラグＢを接続するだけで、緊急地震速報に応じて電気機器Ａの動作を停止させたり、動作を開始させたり、あるいは動作を継続させることができる。
【００５３】
また、本発明の緊急時電源遮断システムによれば、電源コンセント装置３は屋内の電源コンセント１とは別体に構成されているので、電源コンセント１を交換することなく緊急地震速報に対応した電源コンセントを得ることができる。
【００５４】
なお、上述した実施形態は本発明の好適な実施態様を示すものであって、本発明はこれらに限定されることなく発明の範囲内で種々の設計変更が可能である。
【００５５】
たとえば、上述した実施形態では、緊急地震速報を受信する操作装置として給湯装置４の台所リモコン５ａを用いた場合を示したが、風呂リモコン５ｂなど他のリモコンを用いてもよく、また、給湯装置４以外の操作装置、たとえば、空調装置などの住宅設備機器の操作装置や、テレビなどの家電機器の操作装置で緊急地震速報を受信するように構成することも可能である。
【００５６】
また、上述した実施形態では、緊急地震速報をドアホン９を介して受信するように構成した場合を示したが、ドアホン９以外の機器、たとえば、電話機やパソコンのインターネットなどの広域通信網などを介して緊急地震速報を受信するように構成することも可能である。
【００５７】
また、上述した実施形態では、電源コンセント装置３の電源遮断部３３が電源プラグ差込口３１ａ，３１ｂごとに（電源プラグ差込口単位で）電路の開閉ができるように構成した場合を示したが、電源遮断部３３は電源コンセント装置３ごとに（電源コンセント装置単位で）電源プラグ差込口３１ａ，３１ｂの電路の開閉を行うように構成することも可能である。
【００５８】
また、上述した実施形態では、電源コンセント装置３は、電路の開閉のみを行うように構成した場合を示したが、たとえば、電源コンセント装置３の電源プラグ差込口３１で使用される電力を測定する機能を備え、その測定結果を電力検出データとして測定ユニット６に送信するように構成し（図１の一点鎖線参照）、測定ユニット６が当該データをリモコン５に送信してリモコン５の表示部に表示するように構成されていてもよい。
【符号の説明】
【００５９】
１              電源コンセント
２              給湯システム
３              電源コンセント装置
３１            プラグ差込口
３２            無線通信回路（信号受信部）
３３            電源遮断部
３４            マイコン
４              給湯装置
５              リモコン
５ａ            台所リモコン（操作装置）
５１            速報受信部
６              測定ユニット
６２            マイコン（速報中継部）
６５            無線通信回路（信号送信部）
９              ドアホン
【図１】
2013156193.tif 000003